【手続補正書】
【提出日】平成19年12月19日(2007.12.19)
【手続補正１】
【補正対象書類名】明細書
【補正対象項目名】特許請求の範囲
【補正方法】変更
【補正の内容】
【特許請求の範囲】
【請求項１】  コントローラおよびエンジンを有するプリンタとサーバシステムとがネットワークに接続されているプリンタ較正システムにおいて、
前記サーバシステムは、
前記プリンタに指示してパッチデータを出力する出力手段と、
前記パッチデータ出力直後の前記エンジンの特性情報を、第１のエンジン特性情報として前記プリンタから取得する第１のエンジン情報取得手段と、
前記プリンタから出力した前記パッチデータをスキャナにより取り込み、該パッチデータに基づいて第１の較正データを作成する第１の較正データ作成手段と、
該第１の較正データ作成手段により作成された第１の較正データおよび前記第１のエンジン特性情報のダウンロードを、前記プリンタに対して行うダウンロード手段とを備え、
前記プリンタは、
前記コントローラが、前記エンジンの最新の特性情報を第２のエンジン特性情報として、前記エンジンから取得する第２のエンジン情報取得手段と、
前記コントローラが、少なくとも前記第２のエンジン特性情報を用いて、前記ダウンロードの状況に基づき第２の較正データを作成する第２の較正データ作成手段とを備え、
前記プリンタはページ記述言語に基づく印刷モードの場合に、前記コントローラが前記第２の較正データを用いて画像処理を行い、当該行った画像処理後のデータを前記エンジンへ送ることにより印刷を行うことを特徴とするプリンタ較正システム。
【請求項２】  請求項１に記載のプリンタ較正システムにおいて、前記第２の較正データ作成手段は、前記ダウンロードが行われた場合、前記第１の較正データおよび前記第１のエンジン特性情報並びに前記第２のエンジン特性情報を用いて、第２の較正データを作成することを特徴とするプリンタ較正システム。
【請求項３】  請求項１に記載のプリンタ較正システムにおいて、前記第２の較正データ作成手段は、前記ダウンロードが行われていない場合、前記第２のエンジン特性情報のみを用いて第２の較正データを作成することを特徴とするプリンタ較正システム。
【請求項４】  請求項１〜請求項３のいずれかに記載のプリンタ較正システムにおいて、前記ネットワークにクライアントシステムが接続されており、
該クライアントシステムは、
前記プリンタから更新情報を取得する更新情報取得手段と、
該更新情報取得手段により取得された更新情報に基づいて前記プリンタから情報を取得し、第２の較正データを作成するクライアント較正データ作成手段とを備え、
前記クライアントシステムはイメージモードの場合に、前記クライアント較正データ作成手段が作成した第２の較正データを用いて画像処理を行い、当該行った画像処理後のデータを前記プリンタへ送ることにより印刷を行うことを特徴とするプリンタ較正システム。
【請求項５】  請求項４に記載のプリンタ較正システムにおいて、前記クライアント較正データ作成手段は、取得した前記更新情報に基づいて前記ダウンロードが行われたと判断した場合に、前記第１の較正データおよび前記第１のエンジン特性情報並びに前記第２のエンジン特性情報を前記プリンタから取得して用い、第２の較正データを作成することを特徴とするプリンタ較正システム。
【請求項６】  請求項４に記載のプリンタ較正システムにおいて、
前記プリンタは、
前記第２のエンジン情報取得手段の前記第２のエンジン特性情報を取得する回数に応じて、前記コントローラがカウンタを更新するカウンタ更新手段を備え、
前記クライアント較正データ作成手段は、取得した前記更新情報に基づいて前記ダウンロードが行われていないと判断した場合に、前記カウンタの値を前記プリンタから取得し、当該取得したカウンタの値により前記カウンタが更新されたと判断された場合に、前記第２のエンジン特性情報を前記プリンタから取得して用い、第２の較正データを作成することを特徴とするプリンタ較正システム。
【請求項７】  請求項１〜請求項３のいずれかに記載のプリンタ較正システムにおいて、前記ネットワークにクライアントシステムが接続されており、
前記プリンタは、
前記第２のエンジン情報取得手段の前記第２のエンジン特性情報を取得する回数に応じて、前記コントローラがカウンタを更新するカウンタ更新手段を備え、
前記クライアントシステムは、
前記プリンタから前記カウンタの値を取得するカウンタ取得手段と、
当該取得したカウンタの値により前記カウンタが更新されたと判断された場合に、前記第２の較正データを前記プリンタから取得するクライアント較正データ取得手段とを備え、
前記クライアントシステムはイメージモードの場合に、前記クライアント較正データ取得手段が取得した第２の較正データを用いて画像処理を行い、当該行った画像処理後のデータを前記プリンタへ送ることにより印刷を行うことを特徴とするプリンタ較正システム。
【請求項８】  コントローラおよびエンジンを有するプリンタとサーバシステムとがネットワークに接続されているプリンタ較正システムのプリンタ較正方法において、
前記サーバシステムは、
前記プリンタに指示してパッチデータを出力する出力ステップと、
前記パッチデータ出力直後の前記エンジンの特性情報を、第１のエンジン特性情報として前記プリンタから取得する第１のエンジン情報取得ステップと、
前記プリンタから出力した前記パッチデータをスキャナにより取り込み、該パッチデータに基づいて第１の較正データを作成する第１の較正データ作成ステップと、
該第１の較正データ作成ステップにより作成された第１の較正データおよび前記第１のエンジン特性情報のダウンロードを、前記プリンタに対して行うダウンロードステップとを備え、
前記プリンタは、
前記コントローラが、前記エンジンの最新の特性情報を第２のエンジン特性情報として、前記エンジンから取得する第２のエンジン情報取得ステップと、
前記コントローラが、少なくとも前記第２のエンジン特性情報を用いて、前記ダウンロードの状況に基づき第２の較正データを作成する第２の較正データ作成ステップとを備え、
前記プリンタはページ記述言語に基づく印刷モードの場合に、前記コントローラが前記第２の較正データを用いて画像処理を行い、当該行った画像処理後のデータを前記エンジンへ送ることにより印刷を行うことを特徴とするプリンタ較正システムのプリンタ較正方法。
【請求項９】  コントローラおよびエンジンを有し、前記コントローラが前記エンジンの最新の特性情報を前記エンジンから取得し、較正データを作成するプリンタを制御するプリンタ較正装置であって、
前記プリンタに指示してパッチデータを出力する出力手段と、
前記パッチデータ出力直後の前記エンジンの特性情報を、第１のエンジン特性情報として前記プリンタから取得する第１のエンジン情報取得手段と、
前記プリンタから出力した前記パッチデータをスキャナにより取り込み、該パッチデータに基づいて第１の較正データを作成する第１の較正データ作成手段と、
前記プリンタに第２の較正データを作成させるべく、前記第１の較正データ作成手段により作成された第１の較正データおよび前記第１のエンジン特性情報のダウンロードを、前記プリンタに対して行うダウンロード手段と
を備え、前記プリンタにページ記述言語に基づく印刷を行わせる場合に、前記コントローラに前記第２の較正データを用いて画像処理を行わせ、当該行った画像処理後のデータを前記エンジンへ送らせることにより印刷を行わせることを特徴とするプリンタ較正装置。
【請求項１０】  コントローラおよびエンジンを有し、前記コントローラが前記エンジンの最新の特性情報を前記エンジンから取得し、較正データを作成するプリンタを制御するプリンタ較正装置のプリンタ較正方法であって、
前記プリンタに指示してパッチデータを出力する出力ステップと、
前記パッチデータ出力直後の前記エンジンの特性情報を、第１のエンジン特性情報として前記プリンタから取得する第１のエンジン情報取得ステップと、
前記プリンタから出力した前記パッチデータをスキャナにより取り込み、該パッチデータに基づいて第１の較正データを作成する第１の較正データ作成ステップと、
前記プリンタに第２の較正データを作成させるべく、前記第１の較正データ作成ステップにより作成された第１の較正データおよび前記第１のエンジン特性情報のダウンロードを、前記プリンタに対して行うダウンロードステップ
とを備え、前記プリンタにページ記述言語に基づく印刷を行わせる場合に、前記コントローラに前記第２の較正データを用いて画像処理を行わせ、当該行った画像処理後のデータを前記エンジンへ送らせることにより印刷を行わせることを特徴とするプリンタ較正装置のプリンタ較正方法。
【請求項１１】  請求項１０に記載のプリンタ較正装置のプリンタ較正方法をプリンタ較正装置に実行させるためのプログラムを記録したことを特徴とするコンピュータ読み取り可能な記録媒体。
【手続補正２】
【補正対象書類名】明細書
【補正対象項目名】００２４
【補正方法】削除
【補正の内容】
【手続補正３】
【補正対象書類名】明細書
【補正対象項目名】００２５
【補正方法】削除
【補正の内容】
【手続補正４】
【補正対象書類名】明細書
【補正対象項目名】００２６
【補正方法】削除
【補正の内容】
【手続補正５】
【補正対象書類名】明細書
【補正対象項目名】００２７
【補正方法】削除
【補正の内容】
【手続補正６】
【補正対象書類名】明細書
【補正対象項目名】００２８
【補正方法】削除
【補正の内容】
【手続補正７】
【補正対象書類名】明細書
【補正対象項目名】００２９
【補正方法】削除
【補正の内容】
【手続補正８】
【補正対象書類名】明細書
【補正対象項目名】００３０
【補正方法】削除
【補正の内容】
【手続補正９】
【補正対象書類名】明細書
【補正対象項目名】００３１
【補正方法】削除
【補正の内容】
【手続補正１０】
【補正対象書類名】明細書
【補正対象項目名】００３２
【補正方法】削除
【補正の内容】
【手続補正１１】
【補正対象書類名】明細書
【補正対象項目名】００３３
【補正方法】変更
【補正の内容】
【００３３】
請求項９に記載の発明は、コントローラおよびエンジンを有し、前記コントローラが前記エンジンの最新の特性情報を前記エンジンから取得し、較正データを作成するプリンタを制御するプリンタ較正装置であって、前記プリンタに指示してパッチデータを出力する出力手段と、前記パッチデータ出力直後の前記エンジンの特性情報を、第１のエンジン特性情報として前記プリンタから取得する第１のエンジン情報取得手段と、前記プリンタから出力した前記パッチデータをスキャナにより取り込み、該パッチデータに基づいて第１の較正データを作成する第１の較正データ作成手段と、前記プリンタに第２の較正データを作成させるべく、前記第１の較正データ作成手段により作成された第１の較正データおよび前記第１のエンジン特性情報のダウンロードを、前記プリンタに対して行うダウンロード手段とを備え、前記プリンタにページ記述言語に基づく印刷を行わせる場合に、前記コントローラに前記第２の較正データを用いて画像処理を行わせ、当該行った画像処理後のデータを前記エンジンへ送らせることにより印刷を行わせることを特徴とする。
【手続補正１２】
【補正対象書類名】明細書
【補正対象項目名】００３４
【補正方法】変更
【補正の内容】
【００３４】
請求項１０に記載の発明は、コントローラおよびエンジンを有し、前記コントローラが前記エンジンの最新の特性情報を前記エンジンから取得し、較正データを作成するプリンタを制御するプリンタ較正装置のプリンタ較正方法であって、前記プリンタに指示してパッチデータを出力する出力ステップと、前記パッチデータ出力直後の前記エンジンの特性情報を、第１のエンジン特性情報として前記プリンタから取得する第１のエンジン情報取得ステップと、前記プリンタから出力した前記パッチデータをスキャナにより取り込み、該パッチデータに基づいて第１の較正データを作成する第１の較正データ作成ステップと、前記プリンタに第２の較正データを作成させるべく、前記第１の較正データ作成ステップにより作成された第１の較正データおよび前記第１のエンジン特性情報のダウンロードを、前記プリンタに対して行うダウンロードステップとを備え、前記プリンタにページ記述言語に基づく印刷を行わせる場合に、前記コントローラに前記第２の較正データを用いて画像処理を行わせ、当該行った画像処理後のデータを前記エンジンへ送らせることにより印刷を行わせることを特徴とする。
【手続補正１３】
【補正対象書類名】明細書
【補正対象項目名】００３５
【補正方法】変更
【補正の内容】
【００３５】
請求項１１に記載の発明は、請求項１０に記載のプリンタ較正装置のプリンタ較正方法をプリンタ較正装置に実行させるためのプログラムを記録したことを特徴とする。